(57)【特許請求の範囲】
【請求項１】
短筒状の取付部材が被取付部に固定され、前記取付部材に筒状のインナースリーブが挿入され、該インナースリーブの左右両端部が横ビームの端部に挿入されて、前記横ビームが被取付部に固定されるようになされた防護柵におけるインナースリーブの取付構造であって、前記被取付部に設けられた取付孔から取付部材に設けられた螺子孔に取付ボルトが螺入されて、取付部材が被取付部に固定されると共に、前記取付ボルトの先端部が、前記螺子孔に相対向して設けられたインナースリーブの係止孔に挿入されて、取付部材に対するインナースリーブの抜け方向の移動が阻止されるようになされているとともに、前記被取付部には、前記取付部材を固定する取付孔が穿設された縦壁と、前記取付ボルトを軸として前記横ビームを回動可能に支持するようになされた取付部材載置部が設けられていることを特徴とする防護柵におけるインナースリーブの取付構造。
【請求項２】
前記インナースリーブの内底部には、底板の両側端から側壁が上方に立設された断面コ字状の保持部の前記底板にナットが保持されたナット保持部材が挿入固定され、前記側壁には２個の切込みが縦方向に設けられ、インナースリーブの係止孔に挿入された前記取付ボルトの先端部により、前記２個の切込み間の側壁が押圧され、又はその押圧により内方に傾倒されるようになされていることを特徴とする請求項１に記載の防護柵におけるインナースリーブの取付構造。
【請求項３】
前記請求項１又は２に記載の防護柵におけるインナースリーブの取付構造を備えたことを特徴とする防護柵。
【発明の詳細な説明】
【技術分野】
【０００１】
本発明は、道路等に設置される防護柵であって、インナースリーブによってパネル柵やビーム柵等の横ビームを支柱に固定するようにした防護柵におけるインナースリーブの取付構造及びそれを備えた防護柵に関するものである。
【背景技術】
【０００２】
従来、道路等に設置される防護柵におけるインナースリーブの取付構造としては、例えば、道路用防護柵を構成する支柱に対して、ブラケットを介して端部を互いに突き合わせたビームパイプを長手方向に連結するための道路用防護柵のビームパイプ連結構造において、上記支柱に固着されてなるとともに、側端部から頂部中央にかけて順次前面に突き出された凸部が形成されたブラケットと、上記ブラケットにより支持されるとともに、当該ブラケットから長手方向に突き出された突出部分が上記ビームパイプの端部に嵌め込まれるインナースリーブとを備え、上記ブラケットの凸部は、上記ビームパイプ連結時において、少なくともその頂部中央が上記ビームパイプの外周よりも前面に突き出され、その側端部は、上記ビームパイプの外周以下の高さとなるように形成される道路用防護柵のビームパイプ連結構造が、特許文献１に提案されている。
【０００３】
そしてその図面の図４には、支柱４１に対して前面側に固着されるブラケット１１と、ブラケット１１により中央部分を支持されるインナースリーブ１２とを備え、ブラケット１１には、ボルト１３を挿通させるための挿通孔が開孔され、この挿通孔を支柱４１の挿通孔４５にあわせて、これにボルト１３を挿通させ、その螺子部先端をナット４７で固定することにより、ブラケット１１は支柱４１へ固着されたビームパイプ連結構造１が記載されており、又そこに記載のインナースリーブ１２は、ブラケット１１内に挿通された上で、その中央部分をボルト１６並びにナット１７により固定することにより支持され、その結果、インナースリーブ１２の両端は、ブラケット１１から長手方向から突き出された状態となり、この突き出された突出部分１２ａ、１２ｂが、それぞれビームパイプ６の端部に嵌め込まれ、さらにボルト１９とナット２０により固定されていると言う防護柵におけるインナースリーブの取付構造が開示されている。
【先行技術文献】
【特許文献】
【０００４】
【特許文献１】特開２００７−２６１３号公報
【発明の開示】
【発明が解決しようとする課題】
【０００５】
しかしながら、上記防護柵におけるインナースリーブの取付構造においては、ブラケットを支柱に固着するボルトと、インナースリーブをブラケットに固定するボルトの合計２本のボルトを用いて、ブラケットを介して支柱にインナースリーブが固定されるようになされているため、当然ながら支柱にインナースリーブを取付けるには２本のボルトを締め付ける作業を行わなければならず、更なる施工性の効率化が望まれていた。
【０００６】
そこで本発明は、支柱にインナースリーブを取付ける際の施工性を向上させることができる防護柵におけるインナースリーブの取付構造を提供せんとするものである。
【課題を解決するための手段】
【０００７】
上記目的を達成するために、本発明は次のような構成としている。
すなわち、本発明に係る防護柵におけるインナースリーブの取付構造は、短筒状の取付部材が被取付部に固定され、前記取付部材に筒状のインナースリーブが挿入され、該インナースリーブの左右両端部が横ビームの端部に挿入されて、前記横ビームが被取付部に固定されるようになされた防護柵におけるインナースリーブの取付構造であって、前記被取付部に設けられた取付孔から取付部材に設けられた螺子孔に取付ボルトが螺入されて、取付部材が被取付部に固定されると共に、前記取付ボルトの先端部が、前記螺子孔に相対向して設けられたインナースリーブの係止孔に挿入されて、取付部材に対するインナースリーブの抜け方向の移動が阻止されるようになされているとともに、前記被取付部には、前記取付部材を固定する取付孔が穿設された縦壁と、前記取付ボルトを軸として前記横ビームを回動可能に支持するようになされた取付部材載置部が設けられていることを特徴とするものである。
【０００８】
また本発明に係る防護柵におけるインナースリーブの取付構造は、前記インナースリーブの内底部には、底板の両側端から側壁が上方に立設された断面コ字状の保持部の前記底板にナットが保持されたナット保持部材が挿入固定され、前記側壁には２個の切込みが縦方向に設けられ、インナースリーブの係止孔に挿入された前記取付ボルトの先端部により、前記２個の切込み間の側壁が押圧され、又はその押圧により内方に傾倒されるようになされていることを特徴とするものである。
【０００９】
また本発明に係る防護柵は、前記した本発明に係る防護柵におけるインナースリーブの取付構造を備えたことを特徴とするものである。
【発明の効果】
【００１０】
本発明に係る防護柵におけるインナースリーブの取付構造によれば、取付部材を被取付部に固定する取付ボルトの先端部を、インナースリーブの係止孔に挿入することにより、取付部材に対するインナースリーブの抜け方向の移動を阻止するようになされてとともに、前記被取付部には、前記取付部材を固定する取付孔が穿設された縦壁と、前記取付ボルトを軸として前記横ビームを回動可能に支持するようになされた取付部材載置部が設けられているため、被取付部に対する取付部材の固定と、取付部材に対するインナースリーブの取付けが、前記取付ボルトで行うことができるので、これらの取付作業の効率を向上することができる。
【００１１】
また本発明に係る防護柵におけるインナースリーブの取付構造によれば、前記インナースリーブの内底部には、側壁に２個の切込みが縦方向に設けられたナット保持部材が挿入固定されており、そしてインナースリーブの係止孔に挿入された前記取付ボルトの先端部により、前記２個の切込み間の側壁が押圧され、又はその押圧により内方に傾倒されるようになされ、すなわち取付ボルトの先端部と、押圧され、又は傾倒されたナット保持部材の側壁とが、相互に押圧力が作用している状態となって、インナースリーブの移動やずれを効果的に阻止することができる。
【００１２】
また本発明に係る防護柵によれば、上記インナースリーブの取付構造を備えることによって、施工性を向上させることができる防護柵を提供することができる。
【図面の簡単な説明】
【００１３】
【図１】本発明に係る防護柵の実施の一形態を示す、（ア）は正面図、（イ）は平面図、（ウ）は右側面図である。
【図２】図１の防護柵における支持部材の斜視図である。
【図３】図１の部分切欠の分解斜視図である。
【図４】図１に係る防護柵を傾斜地に設置した時の要部拡大の正面図である。
【図５】図１に係る防護柵におけるインナースリーブの取付構造を示す要部断面図である。
【図６】図１に係る防護柵におけるインナースリーブの取付構造に用いられる保持部材の斜視図である。
【発明を実施するための形態】
【００１４】
本発明の実施の形態について、図面に基づき以下に具体的に説明する。
図において、１は円柱状の支柱であり、その下部は地中に埋設され適宜間隔で複数本地表に立設される。２は支柱１の上端に被せられた下部が略円筒形状となされた支柱キャップであり、上端は一方の側面から該側面に相対する他方の側面に向けて片流れ状に傾斜する平坦な傾斜面２１となされて、該支柱キャップ２の上部は側面視略三角形状となされている。また、その下方には凹溝２２が全周に亘り形成され、該凹溝２２には合成樹脂に球形のガラスビーズが間隔をおいて配置された帯状の反射体Ｈが巻回されている。また、凹溝２２の下方には支柱１に内挿される挿入部２３が突設されて、該挿入部２３が支柱１上端に挿入されると共に、支柱１と前記支柱キャップ２の挿入部２３とを貫通する支柱キャップ固定用ボルトＢ１で支柱１に固定されている。
【００１５】
前記支柱キャップ２の上端に形成された傾斜面２１は、上方の等幅部２４と下方の湾曲部２５とから形成される平面視略Ｕ字状の外形となされ、そして前記傾斜面２１の下方の湾曲部２５が支柱１の上端形状に対応する円筒形状となされていると共に、前記等幅部２４の両側端は支柱キャップ２の略円筒形状の下部に対して鍔状に左右側方に突出されて、鍔部２６となされている。
【００１６】
３は支柱１の上端に被せられた支柱キャップ２の傾斜面２１である支柱１の頂部にボルトにより３ヶ所で固定された、後記の取付部材５が固定される本発明における被取付部としての支持部材であり、４は支持部材３に支持されて支柱１頂部間に架設されたパイプ状の、本発明における横ビームとしての手摺ビームである。
【００１７】
支持部材３は、支柱キャップ２の傾斜面２１と同形の平坦な平面視略Ｕ字状となされた底板３１の上面側に、前面フランジ３２と、後面フランジ３３と、前記前面フランジ３２と後面フランジ３３とを連結する連結板部３４とからなる断面略Ｈ形の支柱部３５が、底板３１の前端に寄った位置に偏位して取付けられると共に、前記支柱部３５の上端背面側には、後記の取付部材５を固定する取付孔３６が水平方向に穿設された縦壁３７と、その縦壁３７の前面側に取付部材５が載置される正面視山型の底部が形成された取付部材載置部３８が設けられて、取付部材５を固定する取付ボルトＢ２が縦壁３７の取付孔３６から挿入締結されて、取付部材５が縦壁３７に取付けられると共に、取付ボルトＢ２を軸として手摺ビーム４を上下方向に回動可能に支持するようになされている。
【００１８】
そして、前面フランジ３２と後面フランジ３３とは、その幅が下端から上端に至るまで一定幅で同幅となされ、正背面視略縦長の長方形状を呈していると共に、底板３１から斜め後方に向けて傾斜状に立ち上がる第１の傾斜部３２１、３３１と、該第１の傾斜部３２１、３３１の上端を屈曲部３２２、３３２として、この屈曲部３２２、３３２から斜め前方に向けて傾斜状に立ち上がる第２の傾斜部３２３、３３３とから構成されている。そして、上述の如く、縦壁３７が後面フランジ３３の第２の傾斜部３３３の上端から垂直に立ち上がって、その前面側に取付部材５が載置される正面視山型の底部が形成された取付部材載置部３８が形成されている。なお、前記取付部材５は、その下端が取付部材載置部３８の山型の底部に当接された状態、すなわち取付部材載置部３８に支持された状態で縦壁３７に取付けられるのが好ましいが、取付部材５は、取付ボルトＢ２により縦壁３７に取付けられているので、当接されず、浮いた状態で取付けられていてもよい。
【００１９】
また前記連結板部３４は、底板３１から前面フランジ３２と後面フランジ３３の屈曲部３２２、３３２までの間において、その中央が上下２ヶ所切欠かれてなり、上側に略三角形状の切欠３４１、下側に略台形状の切欠３４１が配置されている。このようにすることにより、支持部材３が手摺ビーム４を支持できる強度を確保すると共に、使用材料を軽量化することができ好ましい。
【００２０】
そして縦壁３７の両側端と上端から背面側に向けて、補強壁３９が突設され、縦壁３７の強度向上が図られていると共に、取付ボルトＢ２のボルト頭が、縦壁３７と補強壁３９とで形成される凹部４０に収納されて、外方に取付ボルトＢ２のボルト頭等が露出されないようになされているため、ボルト頭等に衣服等が引っ掛るのを防止することができる。
【００２１】
さらに詳細に、手摺ビーム４が支持部材３に取付けられている構造を述べると、被取付部である支持部材３の縦壁３７に設けられた取付孔３６に取付ボルトＢ２が挿入され、短筒状の取付部材５の側面に雌螺子が螺設された螺子孔５１に取付ボルトＢ２の螺子部Ｂ２１が螺入されて、前記縦壁３７に取付部材５が固定されている。また、該取付部材５には筒状のインナースリーブ６が挿入され、そして前記取付部材５をほぼ中央に位置させた状態で、インナースリーブ６の左右両端部に、横ビームである手摺ビーム４の端部が挿入されて、手摺ビーム４の端部下面に設けられた透孔４１からインナースリーブ６の内底部に固定された後記のナット保持部材７のナットＮに手摺ビーム端部固定用ボルトＢ３が螺入され、手摺ビーム４とインナースリーブ６とが固定されている。
【００２２】
さらに、前記螺子孔５１に相対向して、前記インナースリーブ６に螺子が設けられていない、又は取付ボルトＢ２の螺子部Ｂ２１が螺合されることなく遊挿される内径の係止孔６１が設けられ、このインナースリーブ６の係止孔６１に前記螺子部Ｂ２１の先端部Ｂ２２が挿入されると共に、前記インナースリーブ６の内底部には、底板７１の両端から側壁７２が上方に立設された断面コ字状の保持部７３の前記底板７１にナットＮが保持されたナット保持部材７が挿入固定され、且つ前記側壁７２には２個の切込み７４が縦方向に設けられており、そしてインナースリーブ６の係止孔６１に挿入された前記取付ボルトＢ２の螺子部Ｂ２１の先端部Ｂ２２により、前記２個の切込み７４間の側壁７２が押圧され、その押圧により傾倒されている。このように、上記形態においては、取付部材５が取付ボルトＢ２により支持部材３に固定され、そして取付部材５に挿入されたインナースリーブ６の左右両端部を横ビームとしての手摺ビーム４の端部に挿入すると共に、前記取付ボルトＢ２の先端部Ｂ２２をインナースリーブ６の係止孔６１に挿入し、さらにその先端部Ｂ２２でナット保持部材７の側壁７２を押圧し傾倒するようにしたものであり、このようにして、インナースリーブ６の移動が阻止されて、取付部材５にインナースリーブ６が保持されている。
【００２３】
なお、防護柵が傾斜地に設置される場合には、取付ボルトＢ２を軸にして、取付部材５を支持部材３に対して上下方向に回動させることにより、インナースリーブ６が上下方向に回動され、これによって、前記インナースリーブ６に固定された手摺ビーム４を上下方向に傾斜させることができる。また、取付部材５の下端が正面視山型の底部が形成された取付部材載置部３８に当接、載置されている場合は、かかる山型の頂部を支点にして、取付部材５が上下方向に回動することができると共に、取付ボルトＢ２と山型の頂部とで取付部材５を支えるので、当該回動が安定する。
【００２４】
本形態において、手摺ビーム４の下方には、パイプ状の柵ビーム８が４段取付けられており、最下段から３段の柵ビーム８は継手金具９を介して支柱１の側面に取付けられている。
【００２５】
また、支柱１上端に取付けられた支柱キャップ２の前面側の側面には、その左右における中央に軸受孔２８が設けられた円形状の軸受部２７が突設され、該軸受部２７の軸受孔２８に、柵ビーム取付具１０に設けられた取付具固定用孔１０１から柵ビーム取付具固定用ボルトＢ４が螺入されて、柵ビーム取付具１０が支柱キャップ２の前面側の側面に上下方向に回動可能に取付けられ、さらにこの柵ビーム取付具１０に柵ビーム用インナースリーブ８１が挿入されると共に、該柵ビーム用インナースリーブ８１の両側に最上段の柵ビーム８が取付けられている。つまり、柵ビーム取付具１０の前記軸受孔２８に対応する位置に設けられた取付具固定用孔１０１と、支柱キャップ２の軸受孔２８とに、柵ビーム取付具固定用ボルトＢ４が螺入され、支柱キャップ２に柵ビーム取付具１０を介して最上段の柵ビーム８が取付けられている。
【００２６】
上記構成とすることにより、防護柵を傾斜地に設置する場合には、支柱キャップ２の前面側の側面に突設された円形状の軸受部２７を中心にして、柵ビーム取付具１０を上下方向に回動させることができ、柵ビーム８を傾斜地に沿って固定することができる。また上述の如く、柵ビーム８の上方に配置される手摺ビーム４も、正面視山型の底部が形成された手摺ビーム載置部３８を備えた支持部材３の縦壁３７の取付孔３６に挿入された取付ボルトＢ２を軸として上下方向に回動可能となされているため、平坦地に設置する場合と同一の部材をもって防護柵全体を設置することができる。
【００２７】
なお本実施形態においては、柵ビーム８は４段に設けられているが、これに限定されるものではなく、適宜本数の柵ビーム８が設けられればよく、また柵ビーム８と所謂縦格子パネルとが並設されてもよい。
【００２８】
また本実施形態においては、ナット保持部材７の側壁７２が取付ボルトＢ２の先端部Ｂ２２により押圧され、略９０°に傾倒しているが、特にこの角度に傾倒されている必要はなく、側壁７２がほとんど傾倒されることなく、取付ボルトＢ２の先端部Ｂ２２が側壁７２を押圧した状態であってもよい。つまり、取付ボルトＢ２の先端部Ｂ２２がインナースリーブ６の係止孔６１に挿入されることにより、まずはインナースリーブ６の抜け方向が阻止されるのであるが、係止孔６１はインナースリーブ６に螺子が設けられていない、又は取付ボルトＢ２の螺子部Ｂ２１が螺合されることなく遊挿される内径となされていることから、取付ボルトＢ２に対して、インナースリーブ６は遊びのある状態であるため、取付ボルトＢ２の先端部Ｂ２２によって、前記２個の切込み７４間の側壁７２を押圧し、又はその押圧により内方に傾倒されるようになされ、すなわち取付ボルトＢ２の先端部Ｂ２２と、押圧され、又は傾倒されたナット保持部材７の側壁７２とが、相互に押圧力が作用している状態となすことによって、インナースリーブ６の移動やずれを阻止するようになされていればよい。
【００２９】
また、インナースリーブ６とナット保持部材７とは、それら底面どうしをブラインドリベット等の固定具で固定してもよいし、インナースリーブ６の内底部にナット保持部材７をスポット溶接する等して溶着してもよい。
【００３０】
さらに上記形態は、インナースリーブ６により被取付部に固定される横ビームは、手摺ビーム４であるが、横ビームは手摺ビーム４に限定されるものではなく、被取付部に対して横方向に延びるものであればよい。
【符号の説明】
【００３１】
１    支柱
２    支柱キャップ
２１  傾斜面
２２  凹溝
２３  挿入部
２４  等幅部
２５  湾曲部
２６  鍔部
２７  軸受部
２８  軸受孔
３    支持部材
３１  底板
３２  前面フランジ
３２１第１の傾斜部
３２２屈曲部
３２３第２の傾斜部
３３  後面フランジ
３３１第１の傾斜部
３３２屈曲部
３３３第２の傾斜部
３４  連結板部
３４１切欠
３５  支柱部
３６  取付孔
３７  縦壁
３８  取付部材載置部
３９  補強壁
４０  凹部
４    手摺ビーム
４１  透孔
５    取付部材
５１  螺子孔
６    インナースリーブ
６１  係止孔
７    ナット保持部材
７１  底板
７２  側壁
７３  保持部
７４  切込み
８    柵ビーム
８１  柵ビーム用インナースリーブ
９    継手金具
１０  柵ビーム取付具
１０１取付具固定用孔
Ｈ    反射体
Ｂ１  支柱キャップ固定用ボルト
Ｂ２  取付ボルト
Ｂ２１螺子部
Ｂ２２先端部
Ｂ３  手摺ビーム端部固定用ボルト
Ｂ４  柵ビーム取付具固定用ボルト
Ｎ    ナット
【図１】
0005677134.tif 000002
【図２】
0005677134.tif 000003
【図３】
0005677134.tif 000004
【図４】
0005677134.tif 000005
【図５】
0005677134.tif 000006
【図６】
0005677134.tif 000007